(57)【要約】【課題】複数の冷凍機を有する冷凍システムを対象に、冷蔵倉庫の庫内温度維持と電力量削減の両立を行うデマンド制御が可能な冷凍システムを得ること。【解決手段】複数の冷蔵倉庫１のそれぞれに備えられる冷凍機１０をデマンド制御する冷凍システムにおいて、冷凍システム全体の使用電力量を計測する電力計５１と、各冷蔵倉庫１の庫内温度を計測する庫内温度センサー１３と、使用電力量の目標値、各冷凍機１０の動作設定温度、および、庫内温度センサー１３で計測される各冷蔵倉庫１の現在温度が、それぞれ入力される制御コントローラー５０と、を備え、制御コントローラー５０は、電力計５１で計測される所定時間内の使用電力量が目標値を超えると予測される場合、または目標値を超えた場合、各冷凍機１０の動作設定温度と各冷蔵倉庫の現在温度とを比較し、この温度差が小さい冷蔵倉庫の冷凍機から優先してデマンド制御により容量制御する。【選択図】図１
2013231533.tif 000002
【特許請求の範囲】
【請求項１】
複数の冷蔵倉庫のそれぞれに備えられる冷凍機をデマンド制御する冷凍システムにおいて、
冷凍システム全体の使用電力量を計測する電力計と、
各冷蔵倉庫の庫内温度を計測する温度センサーと、
前記使用電力量の目標値、各冷凍機の動作設定温度、および、前記温度センサーで計測される各冷蔵倉庫の現在温度が、それぞれ入力される制御コントローラーと、
を備え、
前記制御コントローラーは、前記電力計で計測される所定時間内の使用電力量が目標値を超えると予測される場合、または目標値を超えた場合、各冷凍機の動作設定温度と各冷蔵倉庫の現在温度とを比較し、この温度差が小さい冷蔵倉庫の冷凍機から優先してデマンド制御により容量制御する
ことを特徴とする冷凍システム。
【請求項２】
各冷凍機の動作設定温度と各冷蔵倉庫の現在温度との温度差が小さい冷凍機ほど容量制御量を大きくする
ことを特徴とする請求項１に記載の冷凍システム。
【請求項３】
各冷凍機の定格容量情報が前記制御コントローラーに入力され、前記制御コントローラーは各冷凍機の定格容量情報に応じて各冷凍機の容量制御量を決定する
ことを特徴とする請求項１に記載の冷凍システム。
【請求項４】
各冷凍機の効率情報が前記制御コントローラーに入力され、前記制御コントローラーは各冷凍機の効率情報に応じて各冷凍機の容量制御量を決定する
ことを特徴とする請求項１に記載の冷凍システム。
【請求項５】
各冷凍機の容量下限値が前記制御コントローラーに入力され、前記制御コントローラーは容量下限値以下となる冷凍機の運転を停止するようにデマンド制御する
ことを特徴とする請求項１に記載の冷凍システム。
【請求項６】
デマンド時限初期はデマンド制御の対象となった冷凍機の容量制御量を小さく、デマンド時限後期は当該冷凍機の容量制御量を大きくするようにデマンド制御する
ことを特徴とする請求項１に記載の冷凍システム。
【請求項７】
デマンド時限初期はデマンド制御の対象となった冷凍機の容量制御を行い、デマンド時限後期は当該冷凍機の運転を停止するように制御する
ことを特徴とする請求項６に記載の冷凍システム。
【請求項８】
各冷凍機は、インバーター駆動圧縮機を備える
ことを特徴とする請求項１〜７のいずれか一項に記載の冷凍システム。
【発明の詳細な説明】
【技術分野】
【０００１】
本発明は、契約電力と受電設備の低減や使用電力量の削減を目的として、電力の目標管理を行うデマンド制御を行う冷凍システムに関するものである。
【背景技術】
【０００２】
従来、デマンド制御を行う冷凍システムとしては、複数の冷凍機の運転、停止を制御することにより実施されていた。例えば、特許文献１には、複数の冷蔵倉庫に設置された冷凍機のデマンド制御法が開示されており、デマンド信号発生時には、冷凍機の動作設定温度とその冷蔵倉庫の現在温度との差の単位時間内変化量を比較し、温度差変化の小さい冷蔵倉庫の冷凍機を優先して停止させる方法が開示されている。
【先行技術文献】
【特許文献】
【０００３】
【特許文献１】特開平１０−３３９５４６号公報
【発明の概要】
【発明が解決しようとする課題】
【０００４】
特許文献１に示されるような従来の冷凍システムでは、デマンド信号発生時に運転中の冷凍機を停止させるデマンド制御を行うことにより電力量の削減を行っている。そのため、停止した冷凍機が設置された冷蔵倉庫の庫内温度は上昇することが避けられないため、庫内温度の維持と電力量削減とを両立させるデマンド制御を行うことが難しいという課題があった。
【０００５】
本発明は、上記のような課題を解決するためになされたものであり、複数の冷凍機を有する冷凍システムを対象に、冷蔵倉庫の庫内温度維持と電力量削減とを両立させるデマンド制御が可能な冷凍システムを得ることを目的とする。
【課題を解決するための手段】
【０００６】
本発明に係る冷凍システムは、複数の冷蔵倉庫のそれぞれに備えられる冷凍機をデマンド制御する冷凍システムにおいて、冷凍システム全体の使用電力量を計測する電力計と、各冷蔵倉庫の庫内温度を計測する温度センサーと、前記使用電力量の目標値、各冷凍機の動作設定温度、および、前記温度センサーで計測される各冷蔵倉庫の現在温度が、それぞれ入力される制御コントローラーと、を備え、
前記制御コントローラーは、前記電力計で計測される所定時間内の使用電力量が目標値を超えると予測される場合、または目標値を超えた場合、各冷凍機の動作設定温度と各冷蔵倉庫の現在温度とを比較し、この温度差が小さい冷蔵倉庫の冷凍機から優先してデマンド制御により容量制御するものである。
【発明の効果】
【０００７】
本発明によれば、制御コントローラーは、電力計で計測される所定時間内の使用電力量が目標値を超えると予測される場合、または目標値を超えた場合、各冷凍機の動作設定温度と各冷蔵倉庫の現在温度とを比較し、この温度差が小さい冷蔵倉庫の冷凍機から優先してデマンド制御により容量制御するので、庫内温度の上昇抑制と使用電力量の削減とを両立することのできる冷凍システムを得ることができる。
【図面の簡単な説明】
【０００８】
【図１】本発明の実施の形態１に係る冷凍システムの構成図である。
【図２】本発明の実施の形態１に係る冷凍システムのデマンド経過図（その１）である。
【図３】本発明の実施の形態１に係る冷凍システムのデマンド経過図（その２）である。
【図４】本発明の実施の形態１に係る冷凍システムの各庫内温度の状態を示す図である。
【図５】本発明の実施の形態４に係る冷凍機の運転周波数と冷却能力、消費電力、ＣＯＰの関係を示す図である。
【発明を実施するための形態】
【０００９】
以下、本発明に係る冷凍システムの実施の形態を図面に基づいて説明する。
【００１０】
実施の形態１．
図１は、本発明の実施の形態１に係る冷凍システム１００の構成図である。
実施の形態１に係る冷凍システム１００は、複数の仕切られた部屋を有する冷蔵倉庫１と、冷蔵倉庫１の各部屋ごとに設置された冷凍機１０と、冷凍機１０の運転制御を行う制御コントローラー５０と、この冷凍システム１００全体の使用電力量を計測する電力計５１と、を備えている。なお、冷蔵倉庫１の複数の部屋は複数の冷蔵倉庫と同義とする。
【００１１】
冷蔵倉庫１は、それぞれの庫内に、図示されていないが、水産物や畜産物、農産物あるいは冷凍食品などの被冷却物が収納されている。この冷蔵倉庫１は、例えば５つの独立した部屋で構成されており、各部屋には、庫内温度を収納物の保管に最適な温度に維持するために、第一から第五の５台の冷凍機１０ａ〜１０ｅがそれぞれ設置されている。各冷凍機１０ａ〜１０ｅは、それぞれ庫外に設置される熱源機１１ａ〜１１ｅと、庫内に設置される冷却器１２ａ〜１２ｅとにより構成されている。また、冷蔵倉庫１の各部屋には庫内温度を検知するための庫内温度センサー１３ａ〜１３ｅがそれぞれ設置されている。
【００１２】
電力計５１は、この冷凍システム１００全体の使用電力量、すなわち冷凍機１０、空調機、これらの補機および証明器具などを含めた全部の使用電力量を計測するものである。電力計５１は、使用電力に応じて発信されたパルスをカウントして、現在の使用電力量を冷凍機１０の制御コントローラー５０に伝送する。
【００１３】
制御コントローラー５０には、各冷凍機１０ａ〜１０ｅの電力量の目標デマンド値が入力されており、さらに制御コントローラー５０は、冷凍機１０ａ〜１０ｅの設定温度および運転状況、各庫内に設置された庫内温度センサー１３ａ〜１３ｅの検知値、電力計測コントローラーからの現在の使用電力量の情報を取り込み、演算し、その演算値と上記目標デマンド値とを比較した結果に基づいて、各冷凍機１０ａ〜１０ｅの運転を制御する。
【００１４】
次に、この実施の形態１に係る冷凍システム１００の動作について説明する。
冷蔵倉庫１の５つの部屋に収納された水産物や農産物、冷凍食品などの被冷却物を、それに適した保管温度に維持するために、各部屋にはそれぞれ１台の冷凍機１０ａ〜１０ｅが設置されている。そして、冷蔵倉庫１の各部屋は庫内温度の目標温度である設定温度（動作設定温度）が設定されている。また、冷凍機１０ａ〜１０ｅは、すべてインバーター駆動圧縮機を搭載したインバーター冷凍機であり、インバーターにより圧縮機の運転周波数を制御することにより、冷凍機１０ａ〜１０ｅの冷却能力（容量）を独立に増減することができる。また、冷蔵倉庫１の各部屋の現在の庫内温度を検知する庫内温度センサー１３ａ〜１３ｅを設置し、この検知値は制御コントローラー５０に入力される。さらに、電力計５１は、冷凍システム１００の冷凍機１０ａ〜１０ｅや空調機、これらの補機、照明器具などを含めた全ての使用電力量を計測し、その計測値を制御コントローラー５０に伝送する。
【００１５】
次に、制御コントローラー５０の動作について説明する。制御コントローラー５０は、電力計５１から冷凍システム１００全体の使用電力量を取り込み、デマンド値を算出する。デマンド値とは、所定時間（例えば、３０分間）の使用電力量から求めた平均使用電力量であり、この３０分間の平均使用電力量（現在デマンド値）と予め設定された目標値（目標デマンド値）とを比較し、現在デマンド値が目標デマンド値を超えないように冷凍機１０ａ〜１０ｅを制御する。
【００１６】
図２は、デマンド経過図とよばれるグラフであり、このグラフを用いて制御コントローラー５０の動作を説明する。図２は横軸が時間で、縦軸がデマンド値を表し、時刻０からデマンド時限である３０分間の平均使用電力量（単位時間あたりの使用電力量）を表すグラフである。図２中に実線で示したのが理想直線であり、時刻０から３０分間の使用電力量が一定な場合を示し、例えば、目標デマンド値Ｐｍが１００ｋＷの場合は、時刻０から３０分の間の使用電力量が１００ｋＷ一定の場合を示す。
【００１７】
図２中、曲線Ａで示す実線はデマンド値を示し、時刻ｔ１で現在デマンド値Ｐ１を示している。図中、点Ｂから以降の破線で示す直線は時刻ｔ１での曲線Ａの接線であり、点Ｂでの勾配のまま時刻ｔ１以降のデマンド値が継続した場合のデマンド予測値を示す。この破線で示す直線が、デマンド時限３０分に到達したときのデマンド値を、予測デマンド値Ｐｆとしている。図２に示す時刻ｔ１の時点では、この予測デマンド値Ｐｆは、目標デマンド値Ｐｍより小さいため、制御コントローラー５０は、冷凍機１０ａ〜１０ｅの運転を継続する。
【００１８】
図３は、時刻ｔ１から時間経過した時刻ｔ２でのデマンド経過図であり、時刻ｔ２で現在デマンド値Ｐ２となっている。図２と同様に、図３は横軸が時間で、縦軸がデマンド値を表している。ここでは、点Ｂでの勾配を用いた予測デマンド値Ｐｆは、目標デマンド値Ｐｍより大きくなっており、このまま冷凍機１０ａ〜１０ｅの運転を継続すると、デマンド時限３０分の時刻に目標デマンドＰｍを超過する可能性があるため、制御コントローラー５０は冷凍機１０ａ〜１０ｅの運転を制限もしくは一部停止する。
【００１９】
本実施の形態１では、図３に示したように、予測デマンド値Ｐｆが目標デマンド値Ｐｍより大きくなると予測される場合、または目標デマンド値Ｐｍより大きくなった場合に、冷凍機１０ａ〜１０ｅの圧縮機運転周波数（容量制御量）を減少させ、各冷凍機１０ａ〜１０ｅの圧縮機の消費電力を下げて、システム全体の使用電力量を小さくする制御を実施する。そして、この制御の際、冷蔵倉庫１の各部屋の庫内温度の状況に応じて、優先的に圧縮機運転周波数を減少させる冷凍機を選択することとしている。
【００２０】
インバーター圧縮機を搭載した冷凍機では、一般に、圧縮機運転周波数を小さくすると圧縮機消費電力を減少することができる。また同時に、冷却能力も小さくなるので、庫内温度が上昇し、庫内に収納した被冷却物の保存品質が低下するという課題があった。
そこで、本実施の形態では、この保存品質の低下を最小限に抑えるため、冷凍機１０ａ〜１０ｅの動作設定温度と冷蔵倉庫１の各部屋の現在温度との差ΔＴの値を部屋ごとに比較し、この温度差ΔＴの小さい部屋に設置された冷凍機の圧縮機運転周波数を優先的に制御（容量制御）するようにしている。
【００２１】
図４は、本実施の形態１に係る冷凍システムの各庫内温度の状態を示す図で、５つの部屋の冷凍機１０ａ〜１０ｅの動作設定温度と冷蔵倉庫１の各部屋の現在温度を示したものである。いま、冷凍機１０ａ〜１０ｅの動作設定温度は、図４では全ての部屋で一定であり、各部屋の現在温度を棒グラフで示している。また図４中には、庫内温度がこれ以上に低下すると、運転している冷凍機を強制停止するサーモＯＦＦ点と、庫内温度がこれ以上上昇すると、停止している冷凍機を強制運転するサーモＯＮ点とを破線で示している。図４に示した各冷凍機１０ａ〜１０ｅの動作設定温度（Ｔ０）と各部屋の現在温度（Ｔ１）との差ΔＴ（ΔＴ＝Ｔ１−Ｔ０）は、庫内温度センサー１３で表すと、１３ｅ＞１３ｃ＞１３ａ＞１３ｂ＞１３ｄとなる。すなわち庫内温度センサー１３ｅの部屋の現在温度は設定温度より大きく庫内冷却が最も必要な状態であり、ついで庫内温度センサー１３ｃ、１３ａの部屋の順に庫内冷却が必要な状況にある。一方、庫内温度センサー１３ｂの部屋の現在温度は設定温度と一致し、庫内温度センサー１３ｄの部屋の現在温度は設定温度よりも小さいため、しばらくの間は庫内の冷却能力を小さくしても、部屋の壁や被収納物の熱容量の影響で、庫内温度は大きく上昇しないと判断できる。
【００２２】
したがって、本実施の形態では、この各冷凍機１０ａ〜１０ｅの動作設定温度と各部屋の現在温度との差ΔＴの小さい部屋に設置されている冷凍機１０ｂと冷凍機１０ｄの圧縮機運転周波数を現在の運転周波数に対して、例えば１０％小さくするように制御コントローラー５０が冷凍機１０ｂと冷凍機１０ｄに指令を出し、冷凍システム１００全体の使用電力を小さくするように制御している。すなわち、冷凍機１０ａ〜１０ｅの動作設定温度と部屋の現在温度との差ΔＴの大きな３つ部屋の冷凍機１０ｅ、１０ｃ、１０ａの圧縮機運転周波数は減少せず、ΔＴの小さい２つの部屋の冷凍機１０ｂ、１０ｄの圧縮機運転周波数を現在の運転周波数から例えば１０％小さくするように制御することにより、庫内温度の上昇抑制と使用電力量の削減とを両立させることのできる冷凍システムを得ることが可能となる。
【００２３】
なお、本実施の形態では、ΔＴにより圧縮機運転周波数を変更しない冷凍機と圧縮機運転周波数を小さくする冷凍機に区分したが、これに限るものではなく、ΔＴにより圧縮機運転周波数の低減量を決定してもよい。すなわち、図４の例では、ΔＴは、１３ｅ＞１３ｃ＞１３ａ＞１３ｂ＞１３ｄであることから、例えば、冷凍機１０ｅの圧縮機運転周波数は１％、冷凍機１０ｃの圧縮機運転周波数は２％、冷凍機１０ａの圧縮機運転周波数は５％、冷凍機１０ｂの圧縮機運転周波数は１０％、冷凍機１０ｄの圧縮機運転周波数は２０％と小さくするように制御する。このように庫内温度が十分冷えている部屋の冷凍機の圧縮機運転周波数の低減量を大きくすることにより、庫内温度上昇を抑え、より大きな使用電力量の削減効果を得ることができる。
【００２４】
実施の形態２．
本発明の実施の形態２に係る冷凍システムについて説明する。本実施の形態２に係る冷凍システムの構成は図１と同一である。なお、特に記述しない項目については実施の形態１と同様とし、同一の機能や構成については同一の符号を用いて、重複する説明は省略する。この実施の形態では制御コントローラー５０に冷凍機１０ａ〜１０ｅの定格容量情報を入力し、この定格容量情報と、冷凍機１０ａ〜１０ｅの動作設定温度と部屋の現在温度との差ΔＴの情報により、冷凍機１０ａ〜１０ｅの圧縮機運転周波数の制御量を決定している。
【００２５】
一般に、冷凍機は空冷機種の場合、外気温度３２℃、庫内温度―２５℃で圧縮機周波数が低格周波数、例えば７０Ｈｚのときの冷却能力を定格容量として、機種選定などに使用している。またこの定格時の圧縮機消費電力は、通常、定格容量が大きな機種ほど大きく、すなわち定格容量の大きな冷凍機は圧縮機消費電力も大きく、逆に定格容量の小さな冷凍機は圧縮機消費電力も小さい。したがって、デマンド制御する際に、この冷凍機の定格容量情報すなわち圧縮機消費電力情報を用いて、より効果的にデマンド制御を実現することができる。
【００２６】
本実施の形態では、冷凍機１０ａ〜１０ｅの定格容量情報を制御コントローラー５０に入力し、この定格容量の大きな冷凍機の圧縮機運転周波数の低減量は小さく、定格容量の小さな冷凍機の圧縮機運転周波数の低減量は大きくする。すなわち、図４に示した庫内温度状況の例では、冷凍機の動作設定温度と部屋の現在温度との差ΔＴの大きな３つ部屋の冷凍機１０ｅ、１０ｃ、１０ａの圧縮機運転周波数は減少せず、ΔＴの小さい２つの部屋の冷凍機１０ｂ、１０ｄの圧縮機運転周波数を小さくするように制御する。このとき例えば、冷凍機１０ｂの定格容量が５０ｋＷ、冷凍機１０ｄの定格容量が３０ｋＷの場合、圧縮機消費電力も冷凍機１０ｂの方が冷凍機１０ｄよりも大きいと判断し、冷凍機１０ｂの圧縮機運転周波数を１０％、冷凍機１０ｄの圧縮機運転周波数を２０％小さくするように制御している。
【００２７】
このように本実施の形態では、デマンド制御時に定格容量の大きな冷凍機の圧縮機運転周波数の低減量は小さく、定格容量の小さな冷凍機の圧縮機運転周波数の低減量は大きくすることにより、各冷凍機の圧縮機消費電力の削減量は平均化され、より大きな使用電力量の削減効果が得られる。
【００２８】
実施の形態３．
本発明の実施の形態３に係る冷凍システムについて説明する。本実施の形態３に係る冷凍システムの構成は図１と同一である。なお、特に記述しない項目については実施の形態１と同様とし、同一の機能や構成については同一の符号を用いて、重複する説明は省略する。この実施の形態では制御コントローラー５０に冷凍機１０ａ〜１０ｅの効率情報を入力し、この効率情報と冷凍機の動作設定温度と部屋の現在温度との差ΔＴの情報により冷凍機の圧縮機運転周波数の制御量を決定している。
【００２９】
冷凍機１０ａ〜１０ｅの効率情報を制御コントローラー５０に入力し、効率の大きな冷凍機の圧縮機運転周波数の低減量は小さく制御し、効率の小さな冷凍機の圧縮機運転周波数の低減量は大きくするように制御している。すなわち、図４に示した庫内温度状況の例では、冷凍機の動作設定温度と部屋の現在温度との差ΔＴの大きな３つ部屋の冷凍機１０ｅ、１０ｃ、１０ａの圧縮機運転周波数は減少せず、ΔＴの小さい２つの部屋の冷凍機１０ｂ、１０ｄの圧縮機運転周波数を小さくするように制御する。このとき例えば、冷凍機１０ｂの効率（ＣＯＰ）が１．５、冷凍機１０ｄの効率（ＣＯＰ）は１．０の場合、効率の高い冷凍機１０ｂの圧縮機運転周波数を１０％、効率の低い冷凍機１０ｄの圧縮機運転周波数を２０％小さくするように制御している。
【００３０】
このように本実施の形態では、デマンド制御時に効率の高い冷凍機の圧縮機運転周波数の低減量は小さく、効率の低い冷凍機の圧縮機運転周波数の低減量は大きくするように制御することにより、効率の高い冷凍機を優先的に運転するように制御し、システム全体の効率の高い冷凍システムを得ることができる。
【００３１】
実施の形態４．
本発明の実施の形態４に係る冷凍システムについて説明する。本実施の形態４に係る冷凍システムの構成は図１と同一である。なお、特に記述しない項目については実施の形態１と同様とし、同一の機能や構成については同一の符号を用いて、重複する説明は省略する。この実施の形態では、冷凍機の運転周波数下限値を制御コントローラー５０に入力し、冷凍機の圧縮機運転周波数がこの下限値以下となる場合は、その冷凍機の運転を停止するように制御している。
【００３２】
図５は、冷凍機の圧縮機運転周波数に対する冷却能力と圧縮機消費電力、効率（ＣＯＰ）の関係を示す図であり、横軸が圧縮機運転周波数、縦軸は、上段が冷却能力、中段が圧縮機消費電力、下段が効率（ＣＯＰ）を示す。圧縮機運転周波数の減少に対して、冷却能力と圧縮機消費電力は単調に減少するが、この冷却能力と圧縮機消費電力との比で表される効率（ＣＯＰ）は極値をもつ。このため、圧縮機運転上限周波数から運転周波数を減少させると冷凍機の効率は上昇するが、やがて効率は低下する。図５中に破線で示した圧縮機上限周波数時の効率以上を維持できる領域を運転範囲と定め、圧縮機運転下限周波数を決定し、この下限周波数から上限周波数の間の周波数を冷凍機の運転周波数として定めている。
【００３３】
デマンド制御が開始し、該当の冷凍機の圧縮機運転周波数の削減指令が出ると、制御コントローラー５０では、この削減した運転周波数が運転下限周波数よりも小さくなった場合には、その冷凍機の運転を停止するように制御している。例えば、冷凍機１０ｄの下限周波数が３０Ｈｚ、現在の運転周波数が４０Ｈｚ、デマンド制御時にこの冷凍機１０ｄに２０％の圧縮機運転周波数の削減指令がでると圧縮機運転周波数は３２Ｈｚとなるが、この場合は下限周波数３０Ｈｚよりも大きいので運転を継続する。
【００３４】
冷凍機１０ｄの下限周波数が３０Ｈｚ、現在の運転周波数が４０Ｈｚ、デマンド制御時に、この冷凍機１０ｄに３０％の圧縮機運転周波数の削減指令がでると、圧縮機運転周波数は２８Ｈｚとなり、この場合は下限周波数３０Ｈｚよりも小さいので、この冷凍機の運転を停止する。
【００３５】
このようにこの実施の形態では、冷凍機の圧縮機運転周波数が予め設定した下限値以下となる場合はその冷凍機の運転を停止し、常に冷凍機の効率（ＣＯＰ）が高い状態で運転を行うように制御することにより、システム全体の効率が高いデマンド制御が可能な冷凍システムを提供することができる。
【００３６】
実施の形態５．
本発明の実施の形態５に係る冷凍システムについて説明する。本実施の形態５に係る冷凍システムの構成は図１と同一である。なお、特に記述しない項目については実施の形態１と同様とし、同一の機能や構成については同一の符号を用いて、重複する説明は省略する。この実施の形態では、デマンド時限初期は冷凍機の圧縮機運転周波数低減量を小さく、デマンド時限後期は冷凍機の圧縮機運転周波数低減量を大きく制御している。
【００３７】
図２あるいは図３に示したデマンド経過図において、時刻０から１５分までのデマンド時限初期では、デマンド時限終了時間である３０分までは時間的には余裕があるため、消費電力を抑制する制御よりも庫内温度の維持を優先させた制御を行う方が好ましい。逆にデマンド時限１５分から３０分のデマンド時限後期では、庫内温度の維持よりも現在デマンド値Ｐｆを目標デマンド値Ｐｍ以下にすることを優先させた制御を行う方が好ましい。この観点から、本実施の形態では、デマンド制御の対象となった冷凍機の圧縮機周波数を低減する際、デマンド時限初期は冷凍機の圧縮機運転周波数低減量を小さく、デマンド時限後期は冷凍機の圧縮機運転周波数低減量を大きくするよう制御している。
【００３８】
このように本実施の形態では、デマンド時限初期では庫内温度維持を優先した制御、デマンド時限後期では目標デマンド値以下とすることを優先した制御を行うことにより、デマンド時限全体にわたり、庫内温度維持と目標デマンド値以下の両立が可能となる。
【００３９】
なお、本実施の形態では、デマンド時限初期はデマンド制御の対象となった冷凍機の圧縮機運転周波数低減量を小さく、デマンド時限後期は当該冷凍機の圧縮機運転周波数低減量を大きくするように制御する例について説明したが、これに限るものではなく、デマンド時限初期はデマンド制御の対象となった冷凍機の圧縮機運転周波数を低減し、デマンド時限後期は当該冷凍機の運転を停止させることにより、使用電力量を小さくするように制御しても同様の効果を発揮する。
【００４０】
なお、本実施の形態では、インバーター圧縮機を搭載した冷凍機の場合について説明したが、このインバーターによる容量制御方式の冷凍機に限るものではなく、圧縮機内部にスライド弁を有する機械式容量制御機構を持つスクリュー圧縮機を搭載した冷凍機でも同様の効果を発揮する。またホットガスバイパスや吸入圧力調整などの容量制御方式を持つ冷凍機であっても同様の効果を発揮する。
【符号の説明】
【００４１】
１  冷蔵倉庫、１０、１０ａ、１０ｂ、１０ｃ、１０ｄ、１０ｅ  冷凍機、１１ａ、１１ｂ、１１ｃ、１１ｄ、１１ｅ  熱源機、１２ａ、１２ｂ、１２ｃ、１２ｄ、１２ｅ  冷却器、１３、１３ａ、１３ｂ、１３ｃ、１３ｄ、１３ｅ  庫内温度センサー、５０  制御コントローラー、５１  電力計、１００  冷凍システム。
【図１】
2013231533.tif 000003
【図２】
2013231533.tif 000004
【図３】
2013231533.tif 000005
【図４】
2013231533.tif 000006
【図５】
2013231533.tif 000007